(57)【特許請求の範囲】
【請求項１】
壁体の下部に配置されて水切りを行うとともに壁体内に通気を行う通気孔が形成された壁体内通気用水切り材であって、
第一部材と、第二部材とが外側に向けて開口した断面コ字状に組み合わされ、
前記第一部材は、布基礎の上面に配置される第一平板部と、前記第一平板部から上方に延出し土台の外面の外側に配置される第二平板部とを有し、
前記第二部材は、前記壁体の下面に配置され前記通気孔が形成された平板基部と、前記通気孔の前記壁体における外壁面側であって、前記第一部材の前記第一平板部の外壁面側端部よりも内側に、前記第一部材の前記第二平板部に平行に延在する第一平板部と、該第一平板部の突出先端位置に可撓性の柔軟部を介して揺動自在に設けられた弁体とを有し、前記通気孔の壁体における外壁面に対し反対側には、前記弁体が前記通気孔側に揺動した際に該弁体に当接して該弁体とによって前記通気孔を閉じる弁座部が設けられていることを特徴とする壁体内通気用水切り材。
【請求項２】
前記弁体は該弁体を除く本体側に、間に柔軟部を介在させた状態で該柔軟部とともに一体成形されていることを特徴とする請求項１記載の壁体内通気用水切り材。
【請求項３】
壁体の下部に配置されて水切りを行うとともに壁体内に通気を行う壁体内通気用水切り材であって、
下側仕切部と該下側仕切部の上側に中空部を介して配置された上側仕切部とを有し、
前記下側仕切部および前記上側仕切部には、それぞれ通気孔が形成されており、
前記下側仕切部の通気孔および前記上側仕切部の通気孔は、互いに全く重なりを生じないよう前後方向および左右方向に位置をずらしていることを特徴とする壁体内通気用水切り材。
【請求項４】
前記上側仕切部には、その通気孔より前記下側仕切部の通気孔側に、下方に突出する突出板部が形成されていることを特徴とする請求項３記載の壁体内通気用水切り材。
【発明の詳細な説明】
【０００１】
【発明の属する技術分野】
本発明は、壁体の下部に配置されて水切りを行うとともに壁体内に通気を行う壁体内通気用水切り材に関する。
【０００２】
【従来の技術】
住宅の壁体の下部に配置されて水切りを行う水切り材において、該水切り材を介して壁体内に空気を通気させるものとして、水切り材に単純に通気孔が上下方向に形成された構造のものがある（特開平４−２２２７３４号公報）。
【０００３】
【発明が解決しようとする課題】
上記構成の水切り材においては、特に風雨が強い場合に、通気孔から雨が壁体内部に吹き込んでしまうという問題があった。
したがって、本発明の目的は、風雨が強い場合においても通気孔から雨が壁体内部に吹き込んでしまうことを防止できる壁体内通気用水切り材を提供することである。
【０００４】
【課題を解決するための手段】
上記目的を達成するため、本発明の請求項１記載の壁体内通気用水切り材は、壁体の下部に配置されて水切りを行うとともに壁体内に通気を行う通気孔が形成されたものであって、第一部材と、第二部材とが外側に向けて開口した断面コ字状に組み合わされ、前記第一部材は、布基礎の上面に配置される第一平板部と、前記第一平板部から上方に延出し土台の外面の外側に配置される第二平板部とを有し、前記第二部材は、前記壁体の下面に配置され前記通気孔が形成された平板基部と、前記通気孔の前記壁体における外壁面側であって、前記第一部材の前記第一平板部の外壁面側端部よりも内側に、前記第一部材の前記第二平板部に平行に延在する第一平板部と、該第一平板部の突出先端位置に可撓性の柔軟部を介して揺動自在に設けられた弁体とを有し、前記通気孔の壁体における外壁面に対し反対側には、前記弁体が前記通気孔側に揺動した際に該弁体に当接して該弁体とによって前記通気孔を閉じる弁座部が設けられていることを特徴としている。
これにより、風雨が強くなると、通気孔の壁体における外壁面側に揺動自在に設けられた弁体が風雨で揺動させられ、通気孔の壁体における外壁面に対し反対側に設けられた弁座部に当接して通気孔を閉じ、通気孔を介しての風雨の侵入を防止する。
【０００５】
本発明の請求項２記載の壁体内通気用水切り材は、請求項１記載のものに関し、前記弁体は該弁体を除く本体側に、間に柔軟部を介在させた状態で該柔軟部とともに一体成形されていることを特徴としている。
これにより、成形時に弁体および弁体を揺動自在とする柔軟部を本体側と一体成形できるため、製作が容易となる。
【０００６】
本発明の請求項３記載の壁体内通気用水切り材は、壁体の下部に配置されて水切りを行うとともに壁体内に通気を行うものであって、下側仕切部と該下側仕切部の上側に中空部を介して配置された上側仕切部とを有し、前記下側仕切部および前記上側仕切部には、それぞれ通気孔が形成されており、前記下側仕切部の通気孔および前記上側仕切部の通気孔は、互いに全く重なりを生じないよう前後方向および左右方向に位置をずらしていることを特徴としている。
これにより、間に中空部を介在させつつ通気孔を有する下側仕切部と通気孔を有する上側仕切部とを設けて二重構造とし、しかも下側仕切部の通気孔と上側仕切部の通気孔とを横方向に位置をずらして配置しているため、下側仕切部の通気孔から侵入しようとする風雨が上側仕切部の通気孔を通過して壁体内に至るまでの流路が複雑となって、その侵入が防止される。
加えて、下側仕切部の通気孔から侵入する雨水の量が増加してくると中空部に雨水が充満し、該雨水の重量が風圧と均衡状態となり、雨も風も壁体内に侵入しなくなる。
【０００７】
本発明の請求項４記載の壁体内通気用水切り材は、請求項３記載のものに関し、前記上側仕切部には、その通気孔より前記下側仕切部の通気孔側に、下方に突出する突出板部が形成されていることを特徴としている。
このように上側仕切部に、その通気孔より下側仕切部の通気孔側に、下方に突出する突出板部が形成されているため、下側仕切部の通気孔から侵入しようとする風雨が上側仕切部の通気孔を通過して壁体内に至るまでの流路がさらに複雑となって、その侵入がさらに防止される。
【０００８】
【発明の実施の形態】
本発明の壁体内通気用水切り材の第１の実施の形態を図１および図２を参照して以下に説明する。
図中符号１１は布基礎を、符号１２は土台を、符号１３はこの実施の形態の壁体内通気用水切り材を、符号１４は壁体を、それぞれ示している。
土台１２は、その鉛直延在する外面１２ａが布基礎１１の鉛直延在する外面１１ａから若干建物内側（図１における右側）にずらされた状態で布基礎１１の上面１１ｂ上に設置されている。
【０００９】
壁体内通気用水切り材１３は、壁体１４の下部に配置されて水切りを行うもので、第一部材１６および第二部材１７の二つが組み合わされて構成されている。第一部材１６は、布基礎１１の上面１１ｂ上に配置される第一平板部１９と、該第一平板部１９の一側から垂直方向に突出して布基礎１１の外面１１ａに係止される係止部２０と、第一平板部１９の係止部２０に対し反対側から係止部２０に対し裏方向に延出して土台１２の外面１２ａの外側に配置される第二平板部２１と、該第二平板部２１の第一平板部１９に対し反対側であって土台１２に対し反対側に設けられた、第二部材１７を接合するための接合凹部形成部２２とを有している。
【００１０】
第二部材１７は、平板基部２４と、平板基部２４の一側に設けられて該平板基部２４を第一部材１６の第一平板部１９に対し平行させた状態で上記接合凹部形成部２２に接合される接合凸部２５と、接合された第一部材１６の第一平板部１９側に平板基部２４から突出し第一部材１６の第二平板部２１に平行に延在する第一平板部２６と、平板基部２４における第一平板部２６の接合凸部２５に対し反対側に該第一平板部２６と平行に延在して、接合された第一部材１６の第一平板部１９側に突出する第二平板部２７と、平板基部２４の第二平板部２７に対し裏側に第二平板部２７と同一平面をなすよう延在する第三平板部２８と、平板基部２４の第三平板部２８と接合凸部２５との間位置から第三平板部２８と同側に平行に突出延在する第四平板部２９とを有している。ここで、第四平板部２９の高さは接合された第一部材１６の第二平板部２１の高さと一致されている。
【００１１】
第二部材１７の平板基部２４の接合凸部２５と、第一平板部２６および第四平板部２９との間位置には、壁体１４内に通気を行う通気孔３０が、取り付け状態において上下となる方向に貫通形成されている。
そして、この実施の形態において、第二部材１７には、その第一平板部２６の突出先端位置の接合凸部２５側の端縁部に、平板状の弁体３２が繰り返し可撓可能な軟質の柔軟部３３を介して揺動自在に設けられている。なお、この弁体３２は、該弁体３２を除く第二部材１７側に、柔軟部３３とともに一体成形されている。
【００１２】
取り付け状態において、弁体３２は、自重により下側に延出すると第一部材１６から離間して通気孔３０を開放させる一方、通気孔３０側に揺動すると第一部材１６の係合凹部形成部２２の下面側の弁座部３４に当接して通気孔３０を閉じる。
なお、上記により、弁体３２は通気孔３０の壁体１４における外壁面１４ａ側（図１における左側）に揺動自在に設けられ、弁座部３４は通気孔３０の壁体１４における外壁面１４ａに対し反対側（図１における右側）に設けられることになる。
【００１３】
壁体１４は、壁体内通気用水切り材１３の第一部材１６の第二平板部２１および第二部材１７の第四平板部２９上に配置される下地桟木３６と、この下地桟木３６と第二部材１７の第三平板部２８との間に配置されるモルタル下地板３７と、モルタル下地板３７の外側すなわち壁体１４の最も外側に施行されるモルタル３８とで構成されている。
【００１４】
上記壁体内通気用水切り材１３の周囲の施行手順は、まず、布基礎１１が施行完成すると、布基礎１１に土台１２および図示せぬ柱を設置し、次に、下地桟木３６を土台１２の外面１２ａに固定する。そして、下地桟木３６の外面３６ａにモルタル下地板３７を固定した後、下地桟木３６およびモルタル下地板３７と布基礎１１との間に壁体内通気用水切り材１３を挿入しつつこれを固定し、モルタル下地板３７の外側をモルタル３８で仕上げる。
【００１５】
以上に述べた第１の実施の形態によれば、風雨が強くなると、風雨の力で、通気孔３０の壁体１４における外壁面１４ａ側に揺動自在に設けられた弁体３２が柔軟部３３が撓むことで揺動させられ、通気孔３０の壁体１４における外壁面１４ａに対し反対側に設けられた弁座部３４に当接して通気孔３０を閉じ、通気孔３０を介しての風雨の侵入を防止する。
したがって、風雨が強い場合においても通気孔３０から雨が壁体１４の内部に吹き込んでしまうことを防止できる。
勿論、風雨がない場合は、弁体３２が自重で弁座部３４から離間し通気孔３０を開放させて壁体１４の内部の通気を良好に行わせることになる。
なお、弁体３２は、該弁体３２を除く第二部材１７側に柔軟部３３とともに一体成形されているため、製作が容易となる。
【００１６】
次に、本発明の壁体内通気用水切り材の第２の実施の形態を図３および図４を参照して第１の実施の形態との相違部分を中心に以下に説明する。なお、第１の実施の形態と同様の部分には同一の符号を付しその説明を略す。
【００１７】
第２の実施の形態の壁体内通気用水切り材４０も、第一部材４１および第二部材４２の二つが組み合わされて構成されている。
第一部材４１は、布基礎１１の上面１１ｂ上に配置される第一平板部４４と、該第一平板部４４の一側から垂直方向に突出して布基礎１１の外面１１ａに係止される係止部４５と、第一平板部４４の係止部４５に対し反対側から係止部４５に対し裏方向に延出して土台１２の外面１２ａの外側に配置される第二平板部４６と、該第二平板部４６の第一平板部４４に対し反対側から第一平板部４４と平行をなして延在する平板基部（下側仕切部）４７とを有している。
【００１８】
加えて、第一部材４１は、平板基部４７の第二平板部４６に対し裏側に突出形成された、第二部材４２を接合するための接合凸部４８と、第一平板部４４側に平板基部４７から突出し第二平板部４６に平行に延在する第三平板部４９と、平板基部４７における第三平板部４９の第二平板部４６に対し反対側に該第三平板部４９と平行に延在して第一平板部４４側に突出する第四平板部５０と、平板基部４７の第四平板部５０に対し裏側に第四平板部５０と同一平面をなすよう延在する第五平板部５１と、平板基部４７の第五平板部５１と接合凸部４８との間位置にこれらと同側に第五平板部５１と平行に突出延在する第六平板部５２とを有している。
【００１９】
第二部材４２は、平板基部（上側仕切部）５４と、平板基部５４の一側から該平板基部５４に垂直に突出形成されることにより、該平板基部５４を第一部材４１の平板基部４７に対し平行させるようにして上記接合凸部４８に接合される接合凹部形成部５５と、平板基部５４の他側から接合凹部形成部５５と平行かつ同高さに延在形成された第一平板部５６と、平板基部５４における第一平板部５６と接合凹部形成部５５との間にこれらと同側にこれらと平行かつこれらより低く突出形成された第二平板部（突出板部）５７とを有している。
【００２０】
そして、接合凸部４８と接合凹部形成部５５との接合によりこれら第一部材４１および第二部材４２を接合させると、第一部材４１の平板基部４７と第二部材４２の平板基部５４とが平行をなすとともに、第一部材４１の第六平板部５２の内側に第二部材４２の第一平板部５６が配置されることになり、第一部材４１の平板基部４７と、第二部材４２の接合凹部形成部５５、平板基部５４および第一平板部５６とで、中空部５９が画成されることになる。
【００２１】
そして、この実施の形態においては、第一部材４１の平板基部４７には中空部５９を外部に連通させる通気孔６０が形成されており、第二部材４２の平板基部５４にも中空部５９を外部に連通させる通気孔６１が形成されている。これらの通気孔６０，６１は、互いに横方向に、全く重なりを生じないよう位置をずらしており、具体的には、図４に示すように前後方向および左右方向の両方向に位置をずらしている。ここで、第一部材４１の通気孔６０は第二部材４２の通気孔６１より壁体１４における外壁面１４ａ側に配置されている。
加えて、第二部材４２の第二平板部５７は、横方向において通気孔６１より通気孔６０側の位置であって該通気孔６０に若干重なる位置から下方に突出している。
【００２２】
以上に述べた第２の実施の形態によれば、間に中空部５９を介在させつつ通気孔６０を有する下側の平板基部４７と通気孔６１を有する上側の平板基部５４とを設けて二重構造とし、しかも下側の平板基部４７の通気孔６０と上側の平板基部５４の通気孔６１とを横方向に位置をずらして配置しているため、下側の平板基部４７の通気孔６０から侵入しようとする風雨が上側の平板基部５４の通気孔６１を通過して壁体１４の内部に至るまでの流路が複雑となって、その侵入が防止される。
加えて、下側の平板基部４７の通気孔６０から侵入する雨水の量が増加してくると中空部５９に雨水が充満し、該雨水の重量が風圧と均衡状態となり、雨も風も壁体１４の内部に侵入しなくなる。
したがって、風雨が強い場合において通気孔６０，６１から雨が壁体１４の内部に吹き込んでしまうことを防止できる。
【００２３】
しかも、上側の平板基部５４には、その通気孔６１より通気孔６０側に、下方に突出する第二平板部５７が形成されているため、下側の平板基部４７の通気孔６０から侵入しようとする風雨が上側の平板基部５４の通気孔６１を通過して壁体１４の内部に至るまでの流路がさらに複雑となって、その侵入がさらに防止される。
したがって、風雨が強い場合においても通気孔６０，６１から雨が壁体１４の内部に吹き込んでしまうことを確実に防止できる。
【００２４】
【発明の効果】
以上詳述したように、本発明の請求項１記載の壁体内通気用水切り材によれば、風雨が強くなると、通気孔の壁体における外壁面側に揺動自在に設けられた弁体が風雨で揺動させられ、通気孔の壁体における外壁面に対し反対側に設けられた弁座部に当接して通気孔を閉じ、該通気孔を介しての風雨の侵入を防止する。
したがって、風雨が強い場合においても通気孔から雨が壁体内部に吹き込んでしまうことを防止できる。
【００２５】
本発明の請求項２記載の壁体内通気用水切り材によれば、成形時に弁体および弁体を揺動自在とする柔軟部を本体側と一体成形できるため、製作が容易となる。
【００２６】
本発明の請求項３記載の壁体内通気用水切り材によれば、間に中空部を介在させつつ通気孔を有する下側仕切部と通気孔を有する上側仕切部とを設けて二重構造とし、しかも下側仕切部の通気孔と上側仕切部の通気孔とを横方向に位置をずらして配置しているため、下側仕切部の通気孔から侵入しようとする風雨が上側仕切部の通気孔を通過して壁体内に至るまでの流路が複雑となって、その侵入が防止される。
加えて、下側仕切部の通気孔から侵入する雨水の量が増加してくると中空部に雨水が充満し、該雨水の重量が風圧と均衡状態となり、雨も風も壁体内に侵入しなくなる。
したがって、風雨が強い場合においても通気孔から雨が壁体内部に吹き込んでしまうことを防止できる。
【００２７】
本発明の請求項４記載の壁体内通気用水切り材によれば、上側仕切部に、その通気孔より下側仕切部の通気孔側に、下方に突出する突出板部が形成されているため、下側仕切部の通気孔から侵入しようとする風雨が上側仕切部の通気孔を通過して壁体内に至るまでの流路がさらに複雑となって、その侵入がさらに防止される。
したがって、風雨が強い場合においても通気孔から雨が壁体内部に吹き込んでしまうことを確実に防止できる。
【図面の簡単な説明】
【図１】  本発明の壁体内通気用水切り材の第１の実施の形態が適用された土台の周囲構造を示す断面図である。
【図２】  本発明の壁体内通気用水切り材の第１の実施の形態の平面図である。
【図３】  本発明の壁体内通気用水切り材の第２の実施の形態が適用された土台の周囲構造を示す断面図である。
【図４】  本発明の壁体内通気用水切り材の第２の実施の形態の平面図である。
【符号の説明】
１３  壁体内通気用水切り材
１４  壁体
１４ａ  外壁面
３０  通気孔
３２  弁体
３３  柔軟部
３４  弁座部
４０  壁体内通気用水切り材
４７  平板基部（下側仕切部）
５４  平板基部（上側仕切部）
５７  第二平板部（突出板部）
５９  中空部
６０，６１  通気孔
【図１】
0003895019.tif 000002
【図２】
0003895019.tif 000003
【図３】
0003895019.tif 000004
【図４】
0003895019.tif 000005